(57)【要約】    【課題】金網を支柱に取付ける際の締結作業における作業性が向上し、金網の取付けが容易、迅速化される金網フェンスを提供する。    【解決手段】胴縁側金具５は、U字形部５ａを上胴縁２ａの上部または下胴縁の下部の横棒７Ｃにそれぞれ嵌める。上胴縁２の下部の左右の横棒７Ａ、７Ｅまたは下胴縁の上部の左右の横棒に胴縁側金具５の先端の左右のテーパー部５ｃを弾発的に摺動させ、胴縁側金具５の左右の横棒把持部５ｂにより外側から左右の横棒７Ａ、７Ｅを弾発的に把持する。支柱側金具３は、その結合部３ｂを上胴縁２ａまたは下胴縁の隙間９より挿入し、仮止めされた胴縁側金具５のU字形部５ａに嵌め込む。ボルト１３とナット１４により支柱側金具３と胴縁側金具５とを締結する。【選択図】図６
2007239308.tif 000002
【特許請求の範囲】
【請求項１】
複数本の横棒と縦棒とを互いに固着して構成され、上部、下部にそれぞれ上胴縁、下胴縁が設けられた金網と、前記上胴縁および下胴縁に取付けられる胴縁側金具と、支柱に固定されると共に前記胴縁側金具にボルト、ナットにより締結される支柱側金具とを備え、
前記上胴縁は前記縦棒を多角形または円形に曲成すると共に、少なくとも下部の左右と上部にそれぞれ横棒を固着して構成され、かつ下部に前記支柱側金具を挿入する隙間を有し、
前記下胴縁は前記縦棒を多角形または円形に曲成すると共に、少なくとも上部の左右と下部にそれぞれ横棒を固着して構成され、かつ上部に前記支柱側金具を挿入する隙間を有し、
前記胴縁側金具は、ボルト挿通孔を有するU字形部と、このU字形部の各板部の先端にそれぞれ形成された横棒把持部と、各横棒把持部の先端に末拡がり状に形成されたテーパー部と、前記横棒把持部と前記テーパー部との間に内方に突出して形成された抜け止め部とを有し、
前記支柱側金具は前記支柱への取付け部と前記胴縁側金具との結合部とを有すると共に、前記結合部にはボルト挿通用の横方向に長い長孔を有し、
前記胴縁側金具は、U字形部を上胴縁の上部または下胴縁の下部の横棒にそれぞれ嵌めると共に、前記上胴縁の下部の左右の横棒または下胴縁の上部の左右の横棒に胴縁側金具の先端の左右のテーパー部を弾発的に摺動させて押し嵌め、胴縁側金具の左右の横棒把持部により外側から前記左右の横棒を弾発的に把持すると同時に前記抜け止め部により抜け止めして仮止めし、
仮止めされた胴縁側金具のU字形部に前記支柱側金具の結合部が嵌め込まれて前記胴縁側金具のボルト挿通孔および前記支柱側金具の長孔に挿通するボルトとナットにより支柱側金具と胴縁側金具とが締結されることを特徴とする金網フェンス。
【発明の詳細な説明】
【技術分野】
【０００１】
本発明は、複数本の縦棒と横棒とを溶接等により固着して金網を構成すると共に、この金網の上部、下部にそれぞれ上胴縁、下胴縁を前記縦棒、横棒により一体に形成し、この金網を金具により支柱に固定する金網フェンスに関する。
【背景技術】
【０００２】
この種の金網フェンスとして、特許文献１、２には、金網の上胴縁を、縦棒を曲成した部分とその中に溶接した複数本の横棒とで構成し、この上胴縁の上部の横棒に２股状の胴縁側金具を嵌め、この胴縁側金具に、支柱に固定する支柱側金具の結合部を嵌めてボルト、ナットにより締結するものが記載されている。
【０００３】
これらの金網フェンスのうち、特許文献１に記載のものは、上胴縁の上部の横棒にＵ字形をなす胴縁側金具を掛け、支柱に固定する支柱側金具の結合部を胴縁側金具に嵌め、胴縁側金具と支柱側金具に設けたボルト挿通孔にボルトを挿通し、このボルトにナットを螺合し締結することにより、支柱に金網を取付けるものである。
【０００４】
一方特許文献２に記載のものは、胴縁側金具の構造が逆Ｖ字形をなし、この胴縁側金具の左右の板部の下部にはそれぞれ最終的に上胴縁の下部の横棒に嵌める凹部を形成してなり、支柱に固定する支柱側金具の結合部を逆Ｖ字形の胴縁側金具内に入れ、ボルトを胴縁側金具の前記板部と支柱側金具に設けてあるボルト挿通孔に挿入してナットに螺合し、締結することにより、前記胴縁側金具を変形させて左右の板部の下部の凹部を上胴縁の下部の横棒に嵌めて固定する構造である。
【０００５】
【特許文献１】特開平９−２９６６３２号公報
【特許文献２】特開平１０−３０３６６号公報
【発明の開示】
【発明が解決しようとする課題】
【０００６】
従来の金網フェンスの胴縁側金具は、前述のように上胴縁を構成する上部の横棒に嵌める構造を有し、胴縁側金具内に支柱側金具を嵌め込んでボルトにより締結する構造である。この構造では胴縁側金具に支柱側金具を嵌め込んでボルト、ナットにより締結する際に胴縁側金具がふらつき、作業性が悪いという問題点がある。
【０００７】
また、上胴縁の下部や下胴縁の上部に支柱側金具を挿入する隙間を設けた構造にすれば、予め支柱に支柱側金具を固定しておき、この支柱側金具に金網の上胴縁をその下部の隙間から嵌めてボルト、ナットによる締結作業を行ない、その後、下胴縁の上部の隙間より支柱側金具を挿入し、支柱側金具を支柱に固定すると共に、下胴縁に装着した胴縁側金具に支柱側金具を嵌めてボルト、ナットにより締結することができ、作業性が向上する。
【０００８】
しかしながらこの構造を採用する場合、前記従来構造では、下胴縁に取付ける胴縁側金具に支柱側金具を締結する場合、胴縁側金具を手持ちにして落下を防止した状態で締結しなければならず、上胴縁における締結作業よりもさらに作業性が悪くなる。
【０００９】
本発明は、上記した事情に鑑み、金網を支柱に取付ける際の締結作業における作業性が向上し、金網の取付けが容易、迅速化される金網フェンスを提供することを目的とする。
【課題を解決するための手段】
【００１０】
本発明の金網フェンスは、複数本の横棒と縦棒とを互いに固着して構成され、上部、下部にそれぞれ上胴縁、下胴縁が設けられた金網と、前記上胴縁および下胴縁に取付けられる胴縁側金具と、支柱に固定されると共に前記胴縁側金具にボルト、ナットにより締結される支柱側金具とを備え、
前記上胴縁は前記縦棒を多角形または円形に曲成すると共に、少なくとも下部の左右と上部にそれぞれ横棒を固着して構成され、かつ下部に前記支柱側金具を挿入する隙間を有し、
前記下胴縁は前記縦棒を多角形または円形に曲成すると共に、少なくとも上部の左右と下部にそれぞれ横棒を固着して構成され、かつ上部に前記支柱側金具を挿入する隙間を有し、
前記胴縁側金具は、ボルト挿通孔を有するU字形部と、このU字形部の各板部の先端にそれぞれ形成された横棒把持部と、各横棒把持部の先端に末拡がり状に形成されたテーパー部と、前記横棒把持部と前記テーパー部との間に内方に突出して形成された抜け止め部とを有し、
前記支柱側金具は前記支柱への取付け部と前記胴縁側金具との結合部とを有すると共に、前記結合部にはボルト挿通用の横方向に長い長孔を有し、
前記胴縁側金具は、U字形部を上胴縁の上部または下胴縁の下部の横棒にそれぞれ嵌めると共に、前記上胴縁の下部の左右の横棒または下胴縁の上部の左右の横棒に胴縁側金具の先端の左右のテーパー部を弾発的に摺動させて押し嵌め、胴縁側金具の左右の横棒把持部により外側から前記左右の横棒を弾発的に把持すると同時に前記抜け止め部により抜け止めして仮止めし、
仮止めされた胴縁側金具のU字形部に前記支柱側金具の結合部が嵌め込まれて前記胴縁側金具のボルト挿通孔および前記支柱側金具の長孔に挿通するボルトとナットにより支柱側金具と胴縁側金具とが締結されることを特徴とする。
【発明の効果】
【００１１】
本発明においては、上胴縁の下部や下胴縁の上部に支柱側金具を挿入する隙間を設けて金網の取付けを容易化した金網フェンスにおいて、さらに、胴縁側金具は、横棒把持部により胴縁の左右の横棒を弾発的に把持して胴縁側金具が胴縁に仮止めされるようにしたので、支柱側金具を胴縁側金具にボルト、ナットにより締結する際に、これらの金具がぐらつくことなく締結することができ、金網の支柱に対して取付ける際の締結作業における作業性が向上し、金網の取付けが容易となり、取付け作業が迅速に行なえる。
【００１２】
特に下胴縁に取付ける胴縁側金具は横棒把持部を上側にして取付けられるが、この場合も胴縁側金具は横棒把持部が左右の横棒を弾発的に把持して仮止めされるため、胴縁側金具を手で押さえておく必要がなく、作業性が向上し、作業が容易となる。
【発明を実施するための最良の形態】
【００１３】
図１は本発明による金網フェンスの一実施の形態を示す正面図であり、１は基礎ＧＬに固定される支柱、２は金網、２ａ、２ｂはその上下端に形成された上胴縁および下胴縁、３は金網２、２間を中継する支柱１に固定される継手金具、４はフェンスの端部やコーナー部の支柱１に固定される継手金具、５は上胴縁２ａや下胴縁２ｂに取付けられ、継手金具３、４に締結される胴縁側金具である。
【００１４】
図２は前記金網２の構造を示す図であり、図２（Ａ）に示すように、金網２は複数本の縦棒６と横棒７とは溶接等により互いに固着されて構成される。図２（Ｂ）に示すように、縦棒６の上端、下端は円形（多角形でもよい。）に曲成され、図２（Ｃ）、（Ｄ）に示すように、その曲成部６ａ、６ｂの内面に横棒７Ａ〜７Ｅ、７Ｆ〜７Ｊを固着して上胴縁２ａおよび下胴縁２ｂを構成する。
【００１５】
上胴縁２ａの下部には曲成部６ａの曲成開始部と先端との間で支柱側金具３、４の結合部３ｂ、４ｂ（図４、図５参照）を上胴縁２ａ内に挿入するための隙間９を形成する。下胴縁２ｂの上部にも曲成部６ｂの曲成開始部と先端との間で支柱側金具３、４の結合部３ｂ、４ｂを下胴縁２ｂ内に挿入するための隙間１０を形成する。
【００１６】
図３は前記胴縁側金具５の構造を示す図であり、この胴縁側金具５は端部がＵ字形をなすように折り返し状に曲成されたU字形部５ａと、このU字形部５ａの各板部の先端にそれぞれ対向面が凹むように形成された横棒把持部５ｂと、各横棒把持部５ｂの先端に末拡がり状に形成されたテーパー部５ｃと、前記横棒把持部５ｂと前記テーパー部５ｃとの間に内方に突出して形成された抜け止め部５ｄとを有する。
【００１７】
５ｅ、５ｆはU字形部５ａに設けられたボルト挿通孔であり、これらのボルト挿通孔５ｅ、５ｆは上下幅を左右幅よりやや長くした長孔により構成している。５ｇは塗装用流体をU字形部５ａ内に導くための穴である。
【００１８】
図４は前記継手金具３を示す図であり、この継手金具３は中央部に支柱１に嵌めて固定する弧状の取付け部３ａを有し、その両側に延出させて胴縁側金具５と結合する結合部３ｂを形成している。取付け部３ａには支柱に固定するためのボルト挿通孔３ｃを設け、結合部３ｂには上下２段に同形をなすボルト挿通孔としての横長の長孔３ｄ、３ｅを設け、この継手金具３を上下反転させても使用が可能となるように構成している。３ｆ、３ｇはそれぞれ取付け部３ａ、係合部３ｂの板面を隆起させて形成したリブ、３ｈは結合部３ｂの上下縁を曲成して形成したリブである。
【００１９】
図５は前記継手金具４を示す図であり、この継手金具４は端部に支柱１に嵌めて固定する弧状の取付け部４ａを有し、その片側より延出させて胴縁側金具５と結合する結合部４ｂを形成している。取付け部４ａにはボルト挿通孔として横長の長孔４ｃを設け、結合部４ｂには上下２段に同形をなすボルト挿通孔として横長の長孔４ｄ、４ｅを設け、この継手金具４を上下反転させても使用が可能となるように構成している。
【００２０】
４ｆは結合部４ｂの板面を隆起させて形成したリブ、４ｇは結合部４ｂの上下縁を曲成して形成したリブである。４ｈはフェンスのコーナー部において、２個の継手金具４を重ねて支柱１に固定する場合に、相手側継手金具４の取付け部４ａの先端側が嵌まり込むことにより、相対回動範囲を拡大させるための曲成凹部である。
【００２１】
図６、図７はそれぞれ図４の継手金具３、４と図３の胴縁側金具５とを用いて金網２の上胴縁２ａを支柱１の上部に取付けた状態を示す図である。この金網２の取付けは、次の手順に行なわれる。基礎ＧＬに固定された支柱の上部に、継手金具３、４の取付け部３ａ、４ａを嵌め、継手金具３、４のボルト挿通孔３ｃ、４ｃと、支柱１に予め設けられているボルト挿通孔にボルト１１を挿通し、このボルト１１にナット１２を螺合し締結することにより、継手金具３、４を支柱１に固定する。
【００２２】
一方、金網２の上胴縁２ａの両端には胴縁側金具５を取付けておく。この取付けは、U字形部５ａを上胴縁２ａの上部の横棒７Ｃに嵌めると共に、上胴縁２ａの下部の左右の横棒７Ａ、７Ｅに胴縁側金具５の先端の左右のテーパー部５ｃを弾発的に摺動させて押し嵌め、左右の横棒把持部５ｂにより外側から左右の横棒７Ａ、７Ｅを弾発的に把持すると同時に抜け止め部５ｄにより抜け止めして仮止めすることにより行なう。
【００２３】
このようにして胴縁側金具５を上胴縁２ａの両端に取付けた金網２を、上胴縁２ａの隙間９に支柱側金具３、４の結合部３ｂ、４ｂを通し、かつ結合部３ｂ、４ｂを胴縁側金具５のU字形部５ａ内に嵌めてセットする。このとき、胴縁側金具３、４の結合部３ｂ、４ｂの上面に上胴縁２の横棒７Ｃが載る。このとき、結合部３ｂ、４ｂの下方のボルト挿通孔３ｅ、４ｅの位置が胴縁側金具５のボルト挿通孔５ｅ、５ｆに自動的に合致する。この状態でボルト１３をこれらのボルト挿通孔３ｅまたは４ｅと５ｅ、５ｆに挿通し、このボルト１３にナット１４を螺合し締結することにより、金網２の上部を支柱１に固定する。
【００２４】
一方、下胴縁２ｂの支柱１への固定は、下胴縁２ｂに胴縁側金具５を前記と上下反対向きにして取付けて行なう。すなわち、U字形部５ａを下胴縁２ｂの下部の横棒７Ｈに嵌めると共に、下胴縁２ｂの上部の左右の横棒７Ｆ、７Ｊに胴縁側金具５の先端の左右のテーパー部５ｃを弾発的に摺動させて押し嵌め、左右の横棒把持部５ｂにより外側から左右の横棒７Ｆ、７Ｊを弾発的に把持すると同時に抜け止め部５ｄにより抜け止めして胴縁側金具５を下胴縁２ｂに仮止めする。
【００２５】
支柱側金具３、４は、その結合部３ｂ、４ｂを下胴縁２ｂの隙間１０より上方から挿入し、仮止めされた胴縁側金具５のU字形部５ａに結合部３ｂ、４ｂを嵌め込み、結合部３ｂ、４ｂを下胴縁２ｂの横棒７Ｈ上に載せる。このとき、胴縁側金具５のボルト挿通孔５ｅ、５ｆに支柱側金具３，４のボルト挿通孔３ｅ、４ｅが合致する。この状態で支柱１に支柱側金具３、４をボルト１１、ナット１２により締結して固定すると共に、ボルト１３とナット１４により支柱側金具３、４と胴縁側金具５とを締結する。
【００２６】
このように、上胴縁２ａの下部や下胴縁２ｂの上部に支柱側金具３、４を挿入する隙間９、１０を設けて金網２の取付けを容易化した金網フェンスにおいて、さらに、胴縁側金具５は、横棒把持部５ｂにより胴縁２ａ、２ｂの左右の横棒７Ａ、７Ｅまたは７Ｆ、７Ｊを把持して胴縁側金具５が胴縁２ａ、２ｂに仮止めされるようにしたので、支柱側金具３、４を胴縁側金具５にボルト１３、ナット１４により締結する際に、これらの金具がぐらつくことなく締結することができ、金網２の支柱１に対する取付け作業における作業性が向上し、金網の取付けが容易となり、取付け作業が迅速に行なえる。
【００２７】
特に下胴縁２ｂに取付ける胴縁側金具５は横棒把持部５ｂを上側にして取付けられるが、この場合も胴縁側金具５は横棒把持部５ｂが左右の横棒７Ｆ、７Ｊを把持して仮止めされるため、胴縁側金具５を手で押さえておく必要がなく、作業性が向上し、作業が容易となる。
【００２８】
本発明を実施する場合、上胴縁２ａの横棒７Ｂ、７Ｄや下胴縁２ｂの横棒７Ｇ、７Ｉは必ずしも必要ではない。また、基礎に固定する支柱１の本数は任意であり、金網２の取付けも、その一端を一方の支柱１に固定した支柱側金具３または４に係止してボルト１１、ナット１２により締結した後、他端を他方の支柱側金具３または４に係止させてボルト１１、ナット１２により締結するようにしてもよい。
【００２９】
また、支柱１に上胴縁２ａ（または下胴縁２ｂ）を固定する場合、支柱側金具３、４を支柱１に固定し、上胴縁２ａの隙間９から支柱側金具の結合部３ｂ、４ｂを差し込んで上胴縁２ａを支柱側金具３、４にセットした後（または下胴縁２ｂの隙間１０から支柱側金具３、４の結合部３ｂ、４ｂを差し込んで支柱１に支柱側金具３、４を固定した後）、胴縁側金具５を上胴縁２ａ（または下胴縁２ｂ）に取付けて支柱側金具３、４にボルト１３、ナット１４により締結するようにしてもよい。
【図面の簡単な説明】
【００３０】
【図１】本発明の金網フェンスの一実施の形態を示す正面図である。
【図２】（Ａ）は本実施の形態の金網の正面図、（Ｂ）はその側面図、（Ｃ）、（Ｄ）はそれぞれその上胴縁、下胴縁の側面図である。
【図３】（Ａ）、（Ｂ）、（Ｃ）はそれぞれ本実施の形態の胴縁側金具の側面図、背面図、正面図である。
【図４】（Ａ）、（Ｂ）、（Ｃ）、（Ｄ）はそれぞれ本実施の形態の中継用支柱に固定される支柱側金具の背面図、平面図、正面図、側面図である。
【図５】（Ａ）、（Ｂ）、（Ｃ）、（Ｄ）はそれぞれ本実施の形態の端部またはコーナー部支柱に固定される支柱側金具の正面図、平面図、背面図、側面図である。
【図６】（Ａ）、（Ｂ）、（Ｃ）はそれぞれ本実施の形態の中継用支柱に固定される支柱側金具により固定される金網の固定構造を示す平面図、正面図、側面断面図である。
【図７】（Ａ）、（Ｂ）、（Ｃ）はそれぞれ本実施の形態の端部またはコーナー部の支柱に固定される支柱側金具により固定される金網の固定構造を示す平面図、正面図、側面断面図である。
【符号の説明】
【００３１】
１：支柱、２：金網、２ａ：上胴縁、２ｂ；下胴縁、３、４：支柱側金具、３ａ、４ａ：取付け部、３ｂ、４ｂ：結合部、３ｃ〜３ｅ、４ｃ〜４ｅ：ボルト挿通孔、３ｆ、３ｇ、４ｆ〜４ｈ：リブ、５：胴縁側金具、５ａ：Ｕ字形部、５ｂ：横棒把持部、５ｃ：テーパー部、５ｄ：抜け止め部、５ｅ、５ｆ：ボルト挿通孔、６：縦棒、６ａ、６ｂ：曲成部、７、７Ａ〜７Ｊ：横棒、９、１０：隙間、１１、１３：ボルト、１２、１４：ナット
【図１】
2007239308.tif 000003
【図２】
2007239308.tif 000004
【図３】
2007239308.tif 000005
【図４】
2007239308.tif 000006
【図５】
2007239308.tif 000007
【図６】
2007239308.tif 000008
【図７】
2007239308.tif 000009